(57)【要約】【課題】  シート材の自動包装に適合したパレット、包装構造体、および包装方法の提供。【解決手段】台座と、前記台座の上面に固定された裾貼りデッキと、前記裾貼りデッキの上面に固定され、被積載物が積載される集積デッキとを備え、前記集積デッキは、周縁が、載置しようとする被積載物の底面の周縁と同じ位置か、またはより内側に位置するように形成され、前記裾貼りデッキは、周縁が、前記被積載物の底面の周縁よりも外側に位置するように形成されたパレット。【選択図】        図６
2007091267.tif 000002
【特許請求の範囲】
【請求項１】
台座と、前記台座の上面に固定された裾貼りデッキと、前記裾貼りデッキの上面に固定され、被積載物が積載される集積デッキとを備え、
前記集積デッキは、周縁が、載置しようとする被積載物の底面の周縁と同じ位置にあるか、またはより内側に位置するように形成され、
前記裾貼りデッキは、周縁が、前記被積載物の底面の周縁よりも外側に位置するように形成されてなることを特徴とするパレット。
【請求項２】
前記集積デッキは、前記被積載物を載置したときに、前記被積載物の周縁部が前記集積デッキの周縁よりも外側に０〜２ｃｍ突出する大きさに形成されてなる請求項１に記載のパレット。
【請求項３】
前記裾貼りデッキは、前記集積デッキに被積載物を載置したときに、前記裾貼りデッキの側面が前記被積載物の側面と同一面上または外側に位置するように形成されてなる請求項２に記載のパレット。
【請求項４】
前記集積デッキは、ダンボールを厚さ方向に積層して形成されてなる請求項１〜３の何れか１項に記載のパレット。
【請求項５】
前記裾貼りデッキの側面にテープを貼着して前記被積載物を外側から包被する包装材の裾部が固定される裾貼り面が形成されてなる請求項４に記載のパレット。
【請求項６】
前記裾貼り面は、前記裾貼りデッキの上面から前記台座の上面に亘って前記テープが貼着されて形成された面である請求項５に記載のパレット。
【請求項７】
前記裾貼り面は、裾貼りデッキの上面から下面に亘って前記テープが貼着されて形成された面である請求項５に記載のパレット。
【請求項８】
前記テープは両面テープであり、外側の面に剥離テープが貼着されてなる請求項５〜７の何れか１項に記載のパレット。
【請求項９】
請求項１〜８の何れか１項に記載のパレットと、前記パレットの集積デッキの上面に載置された被積載物と、少なくとも前記被積載物の側面を覆うと共に前記パレットにおける裾貼りパレットの側面に固定されてなるシート状の包装材とを備えることを特徴とする包装構造体。
【請求項１０】
前記包装材は、前記被積載物の側面および上面を覆う請求項９に記載の包装構造体。
【請求項１１】
前被積載物は、シート材を厚さ方向に積層したシート束である請求項９または１０に記載の包装構造体。
【請求項１２】
前記包装材は、前記裾貼りデッキの側面に両面テープまたは接着剤で固定されてなる請求項９〜１１の何れか１項に記載の包装構造体。
【請求項１３】
請求項１〜８の何れか１項に記載のパレットにおける集積デッキの上面に被積載物を積載し、シート状の包装材で少なくとも前記被積載物の側面を覆うとともに、前記包装材の裾部を前記パレットにおける裾貼りデッキの側面に固定することを特徴とする包装方法。
【請求項１４】
前被積載物は、シート材を厚さ方向に積層したシート束である請求項１３に記載の包装方法。
【発明の詳細な説明】
【技術分野】
【０００１】
本発明は、パレット、包装構造体、および包装方法にかかり、特に、シート材の自動包装に適合したパレット、包装構造体、および包装方法に関する。
【背景技術】
【０００２】
平版印刷版のようなシート材は、厚さ方向に積層されてシート束とされ、パレットの上面に載置され、側面および上面をシート状の内装材で包被される。そして、前記内装材の裾部を片面接着テープなどでパレットの側面に固定することにより、前記シート束が包装される。
【０００３】
シート束の包装に使用されるパレットとしては、たとえば、紙によって形成され、積載物が積載される積載部材と、紙によって形成されて前記積載部材に固定され、前記積載物が積載された前記積載部材を支持すると共に、運搬用の被挿入体が挿入される挿入面を構成する脚部材と、紙によって形成され、前記積載部材と反対側で前記脚部材に固定された底部材とを有することを特徴とするパレットなどがある（特許文献１）。
【０００４】
前記シート束は、たとえば、シート束を投入するベルトコンベアの下流側の一端に集積装置を配設するとともに、前記集積装置のシート材が落下する位置にパレットを配置し、前記ベルトコンベアでシート材を順次投入することにより、前記パレット上に載置することができる。
【０００５】
ここで、前記集積装置としては、たとえば、前記ベルトコンベアで投入されるシート材を受け止めるパレットが載置される集積台と、前記集積台に載置されたパレットに順次投入されるシート材をそれぞれ所定の集積位置へ位置決めするためのバックストッパ、フロントストッパ及び一対のサイドガイドとを有するものがある。
【０００６】
サイドガイドは、パレット上に積載されたシート束の両側端部と対向するように配置され、サイドガイドの平版印刷版に当接する側の面には、弾性を有する板状のサイドストッパが取り付けられている。
【０００７】
したがって、前記ベルトコンベアで投入されたシート材は、フロントストッパおよびサイドストッパによりパレットが有する積載部材上に位置決めされ、層状に集積される（特許文献２、３）。
【特許文献１】特開２０００−１１８５３３号公報
【特許文献２】特開２００２−３０８５１３号公報
【特許文献３】特開２００２−０４６９２４号公報
【発明の開示】
【発明が解決しようとする課題】
【０００８】
したがって、前記サイドストッパの幅は、前記パレットの積載部材におけるシート材投入方向に直行する方向の寸法である幅に合わされるから、前記幅がシート材の幅よりも大きいと、シート材は側縁がそろった状態では集積されない。
【０００９】
そこで、前記パレットの積載部材の幅方向の寸法をシート材の幅よりも小さくすることが考えられるが、今後は、自動包装では内装材などの包装材の裾部を積載部材の側面に密着させるのが困難になるという問題が生じる。
【００１０】
本発明は、上記問題を解決すべく成されたもので、シート材の自動包装に適合したパレット、包装構造体、および包装方法の提供を目的とする。
【課題を解決するための手段】
【００１１】
請求項１に記載の発明は、台座と、前記台座の上面に固定された裾貼りデッキと、前記裾貼りデッキの上面に固定され、被積載物が積載される集積デッキとを備え、前記集積デッキは、周縁が、載置しようとする被積載物の底面の周縁と同じ位置にあるか、またはより内側に位置するように形成され、前記裾貼りデッキは、周縁が、前記被積載物の底面の周縁よりも外側に位置するように形成されてなることを特徴とするパレットに関する。
【００１２】
前記パレットにおいては、前記集積デッキの周縁は、載置しようとする被積載物の底面の周縁と同じ位置、または前記周縁よりも内側に位置しているから、集積装置を用いて前記集積デッキ上にシート材を集積する場合において、サイドストッパの幅方向の間隔をシート材の投入方向に直交する方向の寸法に合わせることにより、シート材を、側縁が揃った状態で集積できる。
【００１３】
また、裾貼りデッキは、周縁が、前記被積載物の底面の周縁よりも外側に位置するように形成されているから、包装材を緊張させた状態で被積載物の側面を包被するだけで、前記包装材の裾部を裾貼りデッキに密着させることができる。したがって、自動包装が容易である。
【００１４】
請求項２に記載の発明は、前記集積デッキが、前記被積載物を載置したときに、前記被積載物の周縁部が前記集積デッキの周縁よりも外側に０〜２ｃｍ突出する大きさに形成されてなる請求項１に記載のパレットに関する。
【００１５】
前記パレットにおいては、集積デッキに被積載物を積載したときの前記被積載物の周縁部の集積デッキからの突出量は０〜２ｃｍの範囲であるから、前記包装材の裾部を裾貼りデッキに密着させ、固定したときに、包被材が被積載物の側面から浮き上がることがない。故に、自動包装が容易である。
【００１６】
請求項３に記載の発明は、前記裾貼りデッキが、前記集積デッキに被積載物を載置したときに、前記裾貼りデッキの側面が前記被積載物の側面と同一面上または外側に位置するように形成されてなる請求項２に記載のパレットに関する。
【００１７】
前記パレットにおいては、前記集積デッキに被積載物を載置したときに、前記裾貼りデッキの側面は、前記被積載物の側面の真上または前記側面の外側に位置している。したがって、前記包装材の裾部を裾貼りデッキに密着させ、固定したときに、包被材が被積載物の側面から浮き上がることが効果的に防止できる。
【００１８】
請求項４に記載の発明は、前記集積デッキが、ダンボールを厚さ方向に積層して形成されてなる請求項１〜３の何れか１項に記載のパレットに関する。
【００１９】
ダンボールは軽量な上に圧縮強度が高い。したがって、集積デッキに好適である。
【００２０】
請求項５に記載の発明は、前記裾貼りデッキの側面にテープを貼着して前記被積載物を外側から包被する包装材の裾部が固定される裾貼り面が形成されてなる請求項４に記載のパレットに関する。
【００２１】
前記パレットにおいては、テープが裾貼りデッキの側面に貼付されて裾貼り面が形成されているから、裾貼りデッキの側面に隙間や段差があっても平面状に矯正されて接着面積が大きくなり、包装材の裾部と裾貼りデッキの側面との密着性が高くなる。したがって、被積載物の側面および上面を包装材で包被して裾部を接着テープによって裾貼り面に固定することにより、被積載物を密封できるから、前記パレットは、平版印刷版束のように外光や外気の進入を嫌う被積載物の包装に好適に使用される。また、包装材と裾貼り面とは面接触するから、片面接着テープや両面テープ、接着剤などにより、包装材の裾部を裾貼りデッキに強固に固定できる。したがって、自動包装に容易に対応できる。
【００２２】
請求項６に記載の発明は、前記裾貼り面が、前記裾貼りデッキの上面から前記台座の上面に亘って前記テープが貼着されて形成された面である請求項５に記載のパレットに関する。
【００２３】
前記パレットにおいては、テープが裾貼りデッキの上面から側面に亘って貼着され、さらに台座の上面に亘って貼り付けられているから、裾貼りパレットが台座の上面に強固に接着固定される。したがって、裾貼りパレットが台座上でずれることがない。
【００２４】
請求項７に記載の発明は、前記裾貼り面は、裾貼りデッキの上面から下面に亘って前記テープが貼着されて形成された面である請求項５に記載のパレットに関する。
【００２５】
前記パレットにおいては、裾貼りデッキの上面から下面に亘って前記テープがコ字状に貼着されて裾貼り面が形成される。このため、テープの裾貼りデッキへの接着面積が大きくなるから、テープが裾貼りデッキに強固に接着され、剥がれない。
【００２６】
請求項８に記載の発明は、前記テープが両面テープであり、外側の面に剥離テープが貼着されてなる請求項５〜７の何れか１項に記載のパレットに関する。
【００２７】
前記パレットにおいては、裾貼りデッキの側面に両面テープが貼着されているから、表面の剥離テープを剥がすだけで包装材を裾貼り面に接着できる。
【００２８】
請求項９に記載の発明は、請求項１〜８の何れか１項に記載のパレットと、前記パレットの集積デッキの上面に載置された被積載物と、少なくとも前記被積載物の側面を覆うと共に前記パレットにおける裾貼りパレットの側面に固定されてなるシート状の包装材とを備えることを特徴とする包装構造体に関する。
【００２９】
請求項１のところで説明したように、前記包装構造体においては、前記パレットの有する集積デッキの周縁は、載置しようとする被積載物の底面の周縁と同じ位置、またはより内側に位置しているから、集積装置を用いて前記集積デッキ上にシート材を集積する場合において、サイドストッパの幅方向の間隔をシート材の投入方向に直交する方向の寸法に合わせることにより、シート材が、側縁が揃った状態で集積された包装構造体を作製できる。
【００３０】
また、前記パレットにおいては、裾貼りデッキは、周縁が、前記被積載物の底面の周縁よりも外側に位置するように形成されているから、包装材を緊張させた状態で被積載物の側面を包被するだけで、前記包装材の裾部を裾貼りデッキに密着させることができる。したがって、前記包装構造体は、自動包装装置によって容易に構成できる。
【００３１】
請求項１０に記載の発明は、前記包装材が、前記被積載物の側面および上面を覆う請求項９に記載の包装構造体に関する。
【００３２】
前記包装構造体においては、前記被積載物は、前記包装材によって側面および上面が覆われているから、前記包蔵材によって密封することができる。したがって、前記包装材が遮光性および気密性であれば、被積載物を外光および外気から保護できるから、前記包装構造体は、平版印刷版のように外光や外気を嫌うものの包装形態として好適である。
【００３３】
請求項１１に記載の発明は、前被積載物が、シート材を厚さ方向に積層したシート束である請求項９または１０に記載の包装構造体に関する。
【００３４】
前記包装構造体においては、シート束は、前記パレットにおける集積デッキに積載され、側面および上面を包装材によって包被されることにより、前記集積デッキ上に固定される。したがって、前記シート束は前記包装材によって外光および湿気から保護されるだけでなく、シート材を束ねてシート束にするためのテープやシュリンクフィルム、および前記シート束を集積デッキ上に固定するためのバンドなどの包装資材が不要になる。
【００３５】
請求項１２に記載の発明は、前記包装材が、前記裾貼りデッキの側面に両面テープまたは接着剤で固定されてなる請求項９〜１１の何れか１項に記載の包装構造体に関する。
【００３６】
前記包装構造体においては、前記包装材を前記裾貼りデッキの側面に接着することにより、前記包装材と前記裾貼りデッキとの間に隙間が生じないようにすることができる。したがって、被積載物は、前記包材および前記パレットで密封されるから、平版印刷版のように外光や湿気を嫌うものの包装形態として好適である。
【００３７】
請求項１３に記載の発明は、請求項１〜８の何れか１項に記載のパレットにおける集積デッキの上面に被積載物を積載し、シート状の包装材で少なくとも前記被積載物の側面を覆うとともに、前記包装材の裾部を前記パレットにおける裾貼りデッキの側面に固定することを特徴とする包装方法に関する。
【００３８】
請求項１４は、前被積載物が、シート材を厚さ方向に積層したシート束である請求項１３に記載の包装方法に関する。
【発明の効果】
【００３９】
以上説明したように、本発明によれば、シート材の自動包装に適合したパレット、包装構造体、および包装方法が提供される。
【発明を実施するための最良の形態】
【００４０】
１．実施形態１
以下、本発明の包装構造体の一例について説明する。
【００４１】
実施形態１に係るパレット１００は、図１および図２に示すように、台座１４と、台座１４の上面１４Ａに配設された裾貼りデッキ１２と、裾貼りデッキ１２の上面１２Ａに配設された集積デッキ１７とを備える。後述する平版印刷版束１０は集積デッキ１７の上面１７Ａに載置される。
【００４２】
裾貼りデッキ１２は、台座１４の上面１４Ａよりも小さな矩形状の平面形状を有し、集積デッキ１７は、裾貼りデッキ１２の上面１２Ａよりも小さな矩形状の平面形状を有している。集積デッキ１７の上面１７Ａは、平版印刷版束１０を載置したときに、その底面の周縁部が、集積デッキ１７の上面１７Ａの周縁１７Ｃよりも外側に突出する大きさに形成されている。一方、裾貼りデッキ１２は、上面１２Ａの周縁１２Ｃが平版印刷版束１０の底面の周縁よりも外側に位置する大きさに形成されている。
【００４３】
裾貼りデッキ１２および集積デッキ１７は、何れも段ボールを複数層、たとえば３層積層、固定して形成されている。裾貼りデッキ１２においては、上面１２Ａの各辺と同じ長さにカットされた４枚のテープ１６が、裾貼りデッキ１２の上面１２Ａから側面１２Ｂへ、次に台座１４の上面１４Ａに亘って貼着されている。テープ１６が裾貼りデッキ１２の側面１２Ｂに貼付されることにより、側面１２Ｂの段ボール特有の空間や段差がなくなり、平面状に形成されている。
【００４４】
一方、集積デッキ１７は、段ボールを厚さ方向に接着、固定して形成され、裾貼りデッキ１２の上面１２Ａの中央部に接着、固定されている。集積デッキ１７の側面１７Ｂは垂直に裁断されている。
【００４５】
以下、パレット１００を用いて包装構造体２００を構成する手順について説明する。
【００４６】
先ず、図３に示すように、側面１２Ｂの高さよりも狭幅の両面テープ１８をテープ１６の上から裾貼りデッキ１２の側面１２Ｂに１周巻付け、両面テープ１８の台紙１８Ａを剥がす。そして、故紙から抄造した保護用厚紙１５を裾貼りデッキ１２の上面１２Ａに載置し、保護用厚紙１５上に、感光層を上向きにした平版印刷版１１（例えば０．３×１３１０×１０５０ｍｍのアルミ板に感光層が塗布されたもの）と、漂白クラフトパルプから抄造した合紙１３をそれぞれ２００〜２０００枚交互に積層し、最上段に保護用厚紙１５を載置する。平版印刷版１１、合紙１３、および保護用厚紙１５は、本発明におけるシート材に相当し、平版印刷版束１０は被積載物およびシート束に相当する。
【００４７】
そして、図４に示すように、本発明の包装材の一例である内装紙２０を平版印刷版１１、合紙１３、及び保護用厚紙１５で構成される平版印刷版束１０の側面に１周巻付け、内装紙２０の先端部と後端部をテープ又は接着剤で接着する。この際、内装紙２０の下端部を裾貼りデッキ１２の側面１２Ｂに全周に亘って当接させる。これによって、内装紙２０の裾部が両面テープ１８によって側面１２Ｂに接着される。内装紙２０の裾部が裾貼りデッキの側面１２Ｂに固定されたら、図５に示すように、内装紙２０の平版印刷版束１０の上方に突出した部分を折り曲げてテープ２２でテープ止めする。これにより、包装構造体２００が形成される。
【００４８】
なお、平版印刷版束１０は、種類によって合紙１３が入らないもの、保護用厚紙１５が平版印刷版束１０毎に入らないもの等がある。また、台座１４、裾貼りデッキ１２、および集積デッキの材質は、段ボールや、合成樹脂シートを段ボール状に形成したプラ段ボールには限られず、木材や合成樹脂、金属、発泡樹脂板などが使用される。さらに、裾貼りデッキ１２を予め台座１４の上面１４Ａに固着しておいてもよい。
【００４９】
パレット１００においては、前述のように、集積デッキ１７の水平方向の寸法は平版印刷版１１の水平方向の寸法と同一か、またはより小さい。したがって、図１２に示すように、前記集積デッキ１７の周縁１７Ｃは、平版印刷版束１０の底面の周縁と同一の位置か、またはより内側に位置しているから、集積装置を用いて集積デッキ１７上に平版印刷版１１を集積する場合において、前記集積装置の有するサイドストッパ１１０の幅方向の間隔を平版印刷版１１の投入方向に直交する方向の寸法に合わせることにより、平版印刷版１１を、側縁が揃った状態で集積できる。
【００５０】
また、図６に示すように、裾貼りデッキ１２の側面１２Ｂは、テープ１６によって段ボール特有の隙間、段差がなくなり、平面状になっているから、内装紙２０の下端部と側面１２Ｂとの接着面積は、テープ１６を介さずに直接内装紙２０を側面１２Ｂに接着する場合と比して各段に大きくなっている。
【００５１】
これによって、包装構造体２００においては、内装紙２０の下端部と側面１２Ｂの密着性が高くなる。また、両面テープ１８、又は接着剤２４による接着固定で、内装紙２０の下端部と裾貼りデッキ１２の側面１２Ｂとの接着強度を確保できる。
【００５２】
また、裾貼りデッキ１２は、周縁１２Ｃが、平版印刷版束１０の底面の周縁よりも外側に位置するように形成されているから、包装材２０を緊張させた状態で平版印刷版束１０の側面を包被するだけで、包装材２０の裾部を裾貼りデッキ１２の側面１２Ｂに密着させることができる。
【００５３】
従って、平版印刷版束１０は完全に密封され、内装紙２０の外の温湿度の影響が平版印刷版１１に及ばない。また、従来のように内装紙２０の下端部を裾貼りデッキ１２の側面１２Ｂに接着するテープを、側面１２Ｂに沿って変形させて貼り付けるような自動化の妨げとなる作業を要しない。
【００５４】
なお、内装紙２０の下端部と裾貼りデッキ１２の側面１２Ｂとの接着面積が、側面１２Ｂの面積に対して５０％以上ある場合に、包装不良が低減することが実験で確認された。さらに、接着面積が８０％以上ある場合には、包装不良は０％となった。
【００５５】
２．実施形態２
図７および図８に示すように、実施形態２に係るパレット１０２では、段ボール製の裾貼りデッキ１２の上面１２Ａの各辺と同じ長さにカットされた４枚のテープ３０を裾貼りデッキ１２の上面１２Ａから側面１２Ｂへ、次に裾貼りデッキ１２の下面１２Ｄへ渡ってコ字状に貼り付ける。これによって、テープ３０が裾貼りデッキ１２へ強固に接着され、裾貼りデッキ１２から剥がれない。
【００５６】
包装形態２０２は、図９に示すように、平版印刷版束１０を裾貼りデッキ１２の上面１２Ａに積載し、内装紙２０を裾貼りデッキ１２の側面１２Ｂの上部に当接させて平版印刷版束１０の側面に１周巻付け、内装紙２０の先端部と後端部をテープ又は接着剤で接着する。これと共に、裾貼りデッキ１２の上面１２Ａの各辺と同じ長さにカットされた４枚のクラフトテープ３２を内装紙２０の下端部から裾貼りデッキ１２の側面１２Ｂの下部へ、次に台座１４の上面１４Ａから側面１４Ｂへ渡って貼り付ける。これによって、内装紙２０は裾貼りデッキ１２の側面１２Ｂへ、裾貼りデッキ１２は台座１４の上面１４Ａへ接着固定される。
【００５７】
内装紙２０の裾部が裾貼りデッキ１２の側面１２Ｂに固定されたら、図１１に示すように、内装紙２０の平版印刷版束１０の上方に突出した部分を折り曲げてテープ２２でテープ止めする。これにより、包装構造体２０２が形成される。
【００５８】
包装形態２０２は、実施形態１に係る包装形態２００と同様の特長を有している。加えて、図１０に示すように、裾貼りデッキ１２の側面１２Ｂは、テープ３０によって段ボール特有の隙間や段差がなくなり平面状となっているので、内装紙２０の下端部は裾貼りデッキ１２の側面１２Ｂに密着し、平版印刷版束１０は密封される。また、クラフトテープ３２を側面１２Ｂに変形させながら貼り付ける必要がないので、自動化が妨げられない。
【産業上の利用可能性】
【００５９】
本発明は、平版印刷版のような金属製のシート材の包装に好適に使用される。
【図面の簡単な説明】
【００６０】
【図１】実施形態１のパレットの外観を示す斜視図である。
【図２】実施形態１のパレットの構造を示す分解斜視図である。
【図３】実施形態１のパレットに平版印刷版などを積層するところを示す分解斜視図である。
【図４】実施形態１のパレット上に形成された平版印刷版束を内装材で巻回するところを示す斜視図である。
【図５】実施形態１のパレットを用いて形成された包装構造体の外観を示す斜視図である。
【図６】実施形態１のパレットを用いて形成された包装構造体の内部構造を示す断面図である。
【図７】実施形態２のパレットの外観を示す斜視図である。
【図８】実施形態２のパレットの構造を示す分解斜視図である。
【図９】実施形態２のパレット上に形成された平版印刷版束を内装材で巻回するところを示す斜視図である。
【図１０】実施形態２のパレットを用いて形成された包装構造体の外観を示す斜視図である。
【図１１】実施形態２のパレットを用いて形成された包装構造体の内部構造を示す断面図である。
【図１２】実施形態１のパレットを集積装置に載置して平版印刷版を集積するときの、前記集積装置に投入された平版印刷版と前記集積装置の有するサイドストッパとの位置関係を示す概略図である。
【符号の説明】
【００６１】
１０    平版印刷版束
１２    裾貼りデッキ
１２Ａ  上面
１２Ｂ  側面
１２Ｃ  周縁
１２Ｄ  下面
１４    基台
１４Ａ  上面
１６    テープ
１７    集積デッキ
１７Ａ  上面
１７Ｂ  側面
１７Ｃ  周縁
１８    両面テープ
２０    内装紙
２４    接着剤
３０    テープ（矯正部材）
３２    クラフトテープ（接着部材）
１００    パレット
１０２    パレット
２００    包装構造体
２０２    包装構造体
【図１】
2007091267.tif 000003
【図２】
2007091267.tif 000004
【図３】
2007091267.tif 000005
【図４】
2007091267.tif 000006
【図５】
2007091267.tif 000007
【図６】
2007091267.tif 000008
【図７】
2007091267.tif 000009
【図８】
2007091267.tif 000010
【図９】
2007091267.tif 000011
【図１０】
2007091267.tif 000012
【図１１】
2007091267.tif 000013
【図１２】
2007091267.tif 000014